(57)【要約】【課題】下地や、専用の壁面暖房用パネルが不要で、安価で容易な施工が可能となるとともに、シーリング施工を行わなくても空気漏れが発生せず、しかも、乾燥による反りが中空セメントパネルに発生しない中空セメントパネルを用いた冷暖房方法及び壁冷暖房構造を提供する。【解決手段】中空部を有する中空セメントパネルの中空部に冷却及び／又は加熱手段を内設し、この中空セメントパネルを用いて構造物の室空間に面する内壁部を形成し、冷却及び／又は加熱手段によって吸熱又は加熱を行うことで、室空間を冷暖房する。【選択図】図１
2007232301.tif 000002
【特許請求の範囲】
【請求項１】
中空部を有する中空セメントパネルの前記中空部に冷却及び／又は加熱手段を内設し、
該中空セメントパネルを用いて構造物の室空間に面する内壁部を形成し、
前記冷却及び／又は加熱手段によって吸熱又は加熱を行うことで、前記室空間を冷暖房することを特徴とする中空セメントパネルを用いた冷暖房方法。
【請求項２】
構造物の室空間に面する内壁部を用いて前記室空間を冷暖房する壁冷暖房構造であって、
中空部を有し前記内壁部を形成する中空セメントパネルと、
該中空セメントパネルの前記中空部に内設された冷却及び／又は加熱手段と、
を具備し、
前記冷却及び／又は加熱手段が、前記中空セメントパネルの端面に開口する前記中空部から、前記室空間に表出することなく床内に導出されたことを特徴とする壁冷暖房構造。
【請求項３】
前記冷却及び／又は加熱手段が、冷水又は温水を流す管であることを特徴とする請求項２記載の壁冷暖房構造。
【請求項４】
前記中空セメントパネルが、四角形状に形成されかつ複数の平行な前記中空部の両端を一対の平行な両辺部端面に開口させた押出成形セメント板であり、
任意の前記中空部に挿通されて並んだ隣接する前記管の端部同士が、一端側と他端側とで交互に連結接続されることで、複数の前記管が１系統の流路として構成されたことを特徴とする請求項３記載の壁冷暖房構造。
【請求項５】
前記冷却及び／又は加熱手段が、線状ヒータであることを特徴とする請求項２記載の壁冷暖房構造。
【請求項６】
前記冷却及び／又は加熱手段が、面状ヒータであることを特徴とする請求項２記載の壁冷暖房構造。
【請求項７】
前記冷却及び／又は加熱手段の内設されない中空部と、前記冷却及び／又は加熱手段の内設される冷却及び／又は加熱手段専用の中空部とが異なる断面形状でかつ所定間隔で配設されたことを特徴とする請求項２〜請求項６のいずれか１項記載の壁冷暖房構造。
【発明の詳細な説明】
【技術分野】
【０００１】
本発明は、構造物の室内空間に面する内壁部を用いて室内空間を冷暖房する中空セメントパネルを用いた冷暖房方法及び壁冷暖房構造に関する。
【背景技術】
【０００２】
従来の石油ストーブや石油ファンヒーターによる暖房は、燃焼による空気の汚染や、空気を強制的に対流させることでハウスダストなどによるアレルギーなどの発生の心配、安全面では、火気を使用することによる火災などの心配がある。また、エアコンによる暖房の場合でも、空気を循環させることによるハウスダストなどによるアレルギーなどの発生の心配がある。さらに、暖房機器を用いた暖房方法では、壁面や床面の温度が低い場合、暖房機器の温度を高くしないと体感的には暖かく感じない。
【０００３】
近年、住宅の健康指向により、室内空気を汚染しない暖房方法が注目されている。室内空気を汚染しない暖房方法としては、床暖房・壁暖房や、輻射熱を利用した暖房装置が挙げられる。輻射熱を利用した暖房の場合には、輻射熱で床面・壁面から暖められることで、暖房機器を使用した時よりも低い温度でも暖かく感じることができる。輻射熱による暖房として代表的なものに床暖房がある。
【０００４】
ところが、床暖房だけでは壁面の温度が低いことは変わりがない。このため、床暖房と合わせて、輻射熱を利用した壁面暖房を行なうことが注目を集めている。壁面暖房は、下地となる壁面を構築してから専用の壁面暖房用パネルを取り付け、その表面に仕上材を取り付ける。したがって、施工工程が複雑であり、また、間仕切壁の場合には、それぞれの居室側に壁面暖房用のパネルを取り付けなければならず、コストアップの要因となっていた。
【０００５】
そこで、特許文献１には、水硬性無機質材料を押出成形した中空押出成形板（以下、「中空セメントパネル」と言う。）を用いた室内の冷暖房方法が記載されている。この方法では、隣接する中空部同士をジョイント部材を用いて連通し、連続させた空気通路内に直接冷風又は温風を強制的に供給循環させるようになっていた。
【特許文献１】特開平２−２１３６２３号公報
【発明の開示】
【発明が解決しようとする課題】
【０００６】
しかしながら、上記した従来の中空セメントパネルを用いた冷暖房方法は、ジョイント部材を用いて中空部を連通させるため、ジョイント部材の挿入のみによる中空部の接続では空気漏れの発生する虞があった。また、中空セメントパネルを貫通させた釘を使用して留め付けを行うため、釘打ち部からの空気漏れも想定された。このため、ジョイント部分及び釘打ち部分を、耐熱性シーリング材などで空気漏れが生じないよう密封する必要があった。さらに、従来の中空セメントパネルを用いた冷暖房方法は、中空部内に直接温風が循環するため、中空セメントパネルの乾燥が促進し、反りなどが発生する虞もあった。
本発明は上記状況に鑑みてなされたもので、下地や、専用の壁面暖房用パネルが不要で、安価で容易な施工が可能となるとともに、シーリング施工を行う必要がなく、しかも、乾燥による反りが中空セメントパネルに発生しない中空セメントパネルを用いた冷暖房方法及び壁冷暖房構造を提供することにある。
【課題を解決するための手段】
【０００７】
上記目的を達成するための本発明に係る請求項１記載の中空セメントパネルを用いた冷暖房方法は、中空部を有する中空セメントパネルの前記中空部に冷却及び／又は加熱手段を内設し、該中空セメントパネルを用いて構造物の室内空間に面する内壁部を形成し、前記冷却及び／又は加熱手段によって吸熱又は加熱を行うことで、前記室内空間を冷暖房することを特徴とする。
【０００８】
この中空セメントパネルを用いた冷暖房方法では、下地や、専用の壁面暖房用パネルが不要で、シーリング施工を行わなくても空気漏れが発生しない。また、中空部に直接温風が循環しないので、中空セメントパネルが乾燥しない。
【０００９】
請求項２記載の壁冷暖房構造は、構造物の室空間に面する内壁部を用いて前記室空間を冷暖房する壁冷暖房構造であって、中空部を有し前記内壁部を形成する中空セメントパネルと、該中空セメントパネルの前記中空部に内設された冷却及び／又は加熱手段と、を具備し、前記冷却及び／又は加熱手段が、前記中空セメントパネルの端面に開口する前記中空部から、前記室空間に表出することなく床内に導出されたことを特徴とする。
【００１０】
この壁冷暖房構造では、下地や、専用の壁面暖房用パネルが不要で、シーリング施工を行わなくても空気漏れが発生しない。また、中空部に直接温風が循環しないので、中空セメントパネルが乾燥しない。これに加え、冷却及び／又は加熱手段が、中空セメントパネルの端面に開口する中空部から、室空間に表出することなく床内に導出され、中空セメントパネル下端と床底面との間隙の小さな占有スペースで、冷却及び／又は加熱手段の床内への引き込みが可能となる。
【００１１】
請求項３記載の壁冷暖房構造は、前記冷却及び／又は加熱手段が、冷水又は温水を流す管であることを特徴とする。
【００１２】
この壁冷暖房構造では、管に冷水、温水を循環供給させることによる吸熱・加熱が可能となる。また、床暖房と一括した温水供給配管の施工が可能となる。
【００１３】
請求項４記載の壁冷暖房構造は、前記中空セメントパネルが、四角形状に形成されかつ複数の平行な前記中空部の両端を一対の平行な両辺部端面に開口させた押出成形セメント板であり、任意の前記中空部に挿通されて並んだ隣接する前記管の端部同士が、一端側と他端側とで交互に連結接続されることで、複数の前記管が１系統の流路として構成されたことを特徴とする。
【００１４】
この壁冷暖房構造では、一枚の中空セメントパネルが、冷温水の入り口と出口とを備えた簡素な構造の、効率の良い熱交換器として構成可能となる。
【００１５】
請求項５記載の壁冷暖房構造は、前記冷却及び／又は加熱手段が、線状ヒータであることを特徴とする。
【００１６】
この壁冷暖房構造では、線状ヒータに接続した電気配線に給電することで、中空部の線状ヒータが発熱され、室空間の輻射による加熱が可能となる。また、床暖房と一括した電気配線施工が可能となる。
【００１７】
請求項６記載の壁冷暖房構造は、前記冷却及び／又は加熱手段が、面状ヒータであることを特徴とする。
【００１８】
この壁冷暖房構造では、面状ヒータに接続した電気配線に給電することで、中空部の面状ヒータが発熱され、室空間の効率の良い輻射による加熱が可能となる。また、床暖房と一括した電気配線施工が可能となる。
【００１９】
請求項７記載の壁冷暖房構造は、前記冷却及び／又は加熱手段の内設されない中空部と、前記冷却及び／又は加熱手段の内設される冷却及び／又は加熱手段専用の中空部とが異なる断面形状でかつ所定間隔で配設されたことを特徴とする。
【００２０】
この壁冷暖房構造では、冷却及び／又は加熱手段の断面形状に合わせた中空部が設けられ、冷却及び／又は加熱手段の保持性が高まる。また、空気層が小さくなり、熱伝導効率が高まる。
【発明の効果】
【００２１】
本発明に係る請求項１記載の中空セメントパネルを用いた冷暖房方法によれば、中空セメントパネルの中空部に冷却及び／又は加熱手段を内設し、この中空セメントパネルを用いて構造物の室空間に面する内壁部を形成し、冷却及び／又は加熱手段によって吸熱又は加熱を行うことで、室空間を冷暖房するので、下地や、専用の壁面暖房用パネルが不要で、安価で容易な施工が可能となる。また、シーリング施工を行わなくても空気漏れが発生しない。さらに、中空部に直接温風が循環しないので、乾燥による中空セメントパネルの反りを防止することができる。
【００２２】
本発明に係る請求項２記載の壁冷暖房構造によれば、内壁部を形成する中空セメントパネルと、中空セメントパネルの中空部に内設された冷却及び／又は加熱手段とを具備するので、下地や、専用の壁面暖房用パネルが不要で、安価で容易な施工が可能となる。また、シーリング施工を行わなくても空気漏れが発生しない。さらに、中空部に直接温風が循環しないので、乾燥による中空セメントパネルの反りを防止することができる。これに加え、冷却及び／又は加熱手段が、中空セメントパネルの端面に開口する中空部から、室空間に表出することなく床内に導出されるので、中空セメントパネル下端と床底面との間隙の小さな占有スペースで、中空セメントパネルからの冷却及び／又は加熱手段を、床内へ引き込むことができ、これによっても、安価・容易な施工で、しかも、簡素かつコンパクトな構造で見栄え良く冷却及び／又は加熱手段の接続が可能となる。
【００２３】
本発明に係る請求項３記載の壁冷暖房構造によれば、冷却及び／又は加熱手段が、冷水又は温水を流す管であるので、冷水、温水を循環供給させることによる吸熱・加熱を可能にすることができる。また、一般的に床暖房には冷温水の使用される場合が多いので、床暖房と一括した温水供給配管の施工を可能にでき、施工コストを安価に抑えることができる。
【００２４】
本発明に係る請求項４記載の壁冷暖房構造によれば、中空セメントパネルが、複数の中空部の両端を一対の平行な両辺部端面に開口させた押出成形セメント板であり、中空部に挿通された管の端部同士が、一端側と他端側とで交互に連結接続されることで、複数の管が１系統の流路として構成されたので、一枚の中空セメントパネルを、冷温水の入り口と出口とを備えた簡素な構造で、かつ効率の良い熱交換器として構成できる。
【００２５】
本発明に係る請求項５記載の壁冷暖房構造によれば、冷却及び／又は加熱手段が、線状ヒータであるので、線状ヒータに接続した電気配線に給電することで、中空部の線状ヒータを発熱させ、室空間の輻射による加熱を可能にすることができる。また、床暖房に線状ヒータが使用される場合では、床暖房と一括した電気配線施工を可能にでき、施工コストを安価に抑えることができる。
【００２６】
本発明に係る請求項６記載の壁冷暖房構造によれば、冷却及び／又は加熱手段が、面状ヒータであるので、面状ヒータに接続した電気配線に給電することで、中空部の面状ヒータを発熱させ、室空間の効率の良い輻射による加熱を可能にすることができる。また、床暖房に面状ヒータが使用される場合では、床暖房と一括した電気配線施工を可能にでき、施工コストを安価に抑えることができる。
【００２７】
本発明に係る請求項７記載の壁冷暖房構造によれば、冷却及び／又は加熱手段の内設されない中空部と、冷却及び／又は加熱手段の内設される冷却及び／又は加熱手段専用の中空部とが異なる断面形状でかつ所定間隔で配設されたので、冷却及び／又は加熱手段の断面形状に合わせた中空部を設けることができ、冷却及び／又は加熱手段の保持性を向上させ、ガタツキを防止できるとともに、空気層を小さくして熱伝導効率を向上させることができる。
【発明を実施するための最良の形態】
【００２８】
以下、本発明に係る中空セメントパネルを用いた冷暖房方法及び壁冷暖房構造の好適な実施の形態を図面を参照して説明する。
図１は本発明に係る中空セメントパネルを用いた冷暖房方法に用いられる中空セメントパネルの構成例を（ａ）（ｂ）に表したパネル押出方向から見た側面図、図２は中空セメントパネルを用いた壁冷暖房構造の正面視を（ａ）、断面視を（ｂ）で表した説明図、図３は図２に示した壁冷暖房構造を有する居室の平面視を（ａ）、その拡大視を（ｂ）で表した説明図、図４は図３に示した壁冷暖房構造を外断熱とした場合の説明図である。
本実施の形態による壁冷暖房構造は、構造物１１の室空間１３に面する内壁部１５を用いて室空間１３を冷暖房する。その主要な構成要件として、中空部１７を有し内壁部１５を形成する中空セメントパネル１９と、この中空セメントパネル１９の中空部１７に内設された冷却及び／又は加熱手段２１とを具備する。そして、冷却及び／又は加熱手段２１は、中空セメントパネル１９の端面に開口する中空部１７から、室空間１３に表出することなく床２３内に導出されている。この壁冷暖房構造による冷暖房方法では、中空部１７に内設した冷却及び／又は加熱手段２１によって吸熱又は加熱を行うことで、室空間１３を冷暖房する。なお、図中、１２は天井、１４は廊下、１６は既設冷温水ダクトを示す。
【００２９】
冷却及び／又は加熱手段２１とは、その手段が、冷却及び加熱の双方に兼用されるもの、或いは、冷却又は加熱のいずれか一方のみの作用を有するものの何れであっても良いことを意味する。前者としては、例えば後述する冷温水循環供給のための管が挙げられ、後者としては、例えば後述する線状ヒータ、面状ヒータ等が挙げられる。この他、冷却及び／又は加熱手段２１は、電子冷却が可能な熱電素子（ペルチェ素子等）を用いたサーモエレメントであってもよい。又管としては熱効率の優れた鉄管、ステンレス管等の鋼管のみならずポリエチレン管やポリカーボネート強化管等の合成樹脂管を用いることができる。
【００３０】
中空セメントパネル１９としては、繊維などを押出成形した例えば押出成形セメント板１９Ａを好適に用いることができる。この押出成形セメント板１９Ａは、四角形状に形成されかつ複数の平行な中空部１７の両端を一対の平行な両辺部端面に開口させる。押出成形セメント板１９Ａは、任意の中空部１７に挿通されて並んだ隣接する冷却及び／又は加熱手段２１である管２１Ａの端部同士が、一端側と他端側とで交互に連結接続されることで、複数の管２１Ａが１系統の流路として構成される。
【００３１】
このように、中空部１７に挿通された管２１Ａの端部同士が、一端側と他端側とで交互に連結接続されることで、一枚の押出成形セメント板１９Ａを、冷温水の入り口と出口とを備えた簡素な構造で、かつ効率の良い熱交換器として構成できる。
【００３２】
ここで、押出成形セメント板１９Ａは、冷却及び／又は加熱手段２１の内設されない中空部１７と、冷却及び／又は加熱手段２１の内設される冷却及び／又は加熱手段専用の中空部１７Ａとが異なる断面形状でかつ所定間隔で配設されるものであってもよい。このように、中空部１７と中空部１７Ａとを異なる断面形状でかつ所定間隔で配設すれば、冷却及び／又は加熱手段２１、すなわち、管２１Ａの断面形状に合わせた中空部１７Ａを設けることができ、管２１Ａの保持性を向上させ、ガタツキを防止できるとともに、空気層を小さくして熱伝導効率を向上させることができる。
【００３３】
より具体的には、矩形状の中空部１７と、円形状の中空部１７Ａとから構成され、円形状の中空部１７Ａには、管２１Ａが挿入されている。隣接する管２１Ａは、押出成形セメント板１９Ａの小口部分でジョイント２３により交互に結合され、例えば、凸側下部の管２１Ａから流がし込まれた温水は、凹側下部の管２１Ａから流出するようになる。押出成形セメント板１９Ａ内に挿入する配管の数は、暖房能力に応じて適宜決定することができる。
【００３４】
また、押出成形セメント板１９Ａは押出成形であるので、中空部１７、中空部１７Ａの数（矩形と円形の中空部１７，１７Ａの数）は、口金と中空部１７，１７Ａを形成する中玉の変更により自由に変更することが可能である。さらに、本実施の形態では、中空部１７Ａ内に挿入された隣接する管２１Ａをジョイントするジョイント２３を小口部分に納めることで、押出成形セメント板１９Ａに余分な突起がない。施工も通常の押出成形セメント板と同様に、管２１Ａの通らない中空部１７を利用してＺクリップにより行なうことができるので、施工性も良い。
【００３５】
押出成形セメント板１９Ａは、管２１Ａを挿入する専用の中空部１７Ａ（丸形状）を形成したものでも良いし、通常の押出成形セメント板１９Ａの中空部１７（矩形状）をそのまま利用し配管を挿入してもよい。矩形状の中空部１７の場合には、中空部内の管２１Ａの周囲に砂１８を充填することにより、蓄熱性を高め、暖房効率をより向上させることも可能である。
【００３６】
図３に示すように、押出成形セメント板１９Ａで内壁部１５を構成することにより、下地が不要で、冷却及び／又は加熱手段２１の組み込まれた押出成形セメント板１９Ａがそのまま間仕切壁となる。したがって、壁面を構築してから壁面暖房用の専用パネルなどを施工する必要がない。本実施の形態では、１枚のパネルを１ユニットとして構成しているが、これは暖房能力に応じて適宜変更すればよい。特に、本実施の形態の壁冷暖房構造を間仕切壁として使用する場合には、１枚のパネルで両側を暖房できるので、施工コストの低減及び省エネを図ることが可能となる。
【００３７】
図４に示すように、押出成形セメント板１９Ａを外壁として用いる場合に、室空間（居室）１３の室外側と接する壁面を、押出成形セメント板１９Ａで構成し、その外側を外断熱構造とする。外断熱２５による断熱効果により、外部への放熱を低減させて、壁面暖房の効果をより高めることができる。
【００３８】
床２３は、床スラブ３１と、その上に設けられるシンダー押えコンクリート３３と、さらにその上に設けられる不図示の床仕上げ材からなる。押出成形セメント板１９Ａの下端は、シンダー押えコンクリート３３上に設けられた支持材３５によって支持される。したがって、シンダー押えコンクリート３３と、床仕上げ材との間には間隙が形成され、この間隙が新設配管ダクト３７となる。なお、床暖房の採用された床２３では、シンダー押えコンクリート３３内に既設の管２１Ｂ等が配設されている。
【００３９】
押出成形セメント板１９Ａの下部を支持する支持材３５は、所定間隔ごとに、管２１Ａの貫通する不図示の貫通開口部が設けられる。或いは、支持材３５が短尺に形成され、所定間隔で配設されることで、管２１Ａの貫通する不図示の貫通間隙が確保される。これにより、押出成形セメント板１９Ａの中空部１７Ａの下端から導出された管２１Ａは、冷温水入り口端、冷温水出口端が、新設配管ダクト３７内に配索された短尺の新設接続配管（中空部１７Ａから導出させた管２１Ａを若干延長させたものでも良い）２０によって、既設の管２１Ｂと接続される。管２１Ａは、室空間１３に表出することなく床２３内に導出され、押出成形セメント板１９Ａ下端と床底面との間隙（新設配管ダクト３７）の小さな占有スペースで、床２３内への引き込みが可能となっている。
【００４０】
図５は冷却及び／又は加熱手段に線状ヒータを用いた中空セメントパネルの構成例を（ａ）（ｂ）に表した側面図、図６は図５の中空セメントパネルを用いた壁冷暖房構造の正面視を（ａ）、断面視を（ｂ）で表した説明図である。
図５，図６に示すように、壁冷暖房構造は、冷却及び／又は加熱手段２１の変形例として、管２１Ａに代えて線状ヒータ４１を用いても良い。押出成形セメント板１９Ｃの表裏面にはそれぞれに線状ヒータ４１を埋設する中空部１７Ｂを設ける。表裏面で埋設する線状ヒータ４１の数を変更することにより、例えば表裏面別々の暖房能力を有した押出成形セメント板１９Ｃとすることも可能である。なお、図中、４２は、既存線状ヒータ、４４は、既存電線を示す。
【００４１】
このように、冷却及び／又は加熱手段２１が、線状ヒータ４１であるので、線状ヒータ４１に接続した電気配線４３に給電することで、中空部１７Ｂの線状ヒータ４１を発熱させ、室空間１３の輻射による加熱を可能にすることができる。また、床暖房に既設の線状ヒータが使用される場合では、床暖房と一括した電気配線施工を可能にでき、施工コストを安価に抑えることができる。
【００４２】
図７は冷却及び／又は加熱手段に面状ヒータを用いた中空セメントパネルの構成例を（ａ）（ｂ）に表した側面図、図８は図７の中空セメントパネルを用いた壁冷暖房構造の正面視を（ａ）、断面視を（ｂ）で表した説明図である。
図７，図８に示すように、壁冷暖房構造は、冷却及び／又は加熱手段２１の変形例として、面状ヒータ５１を用いても良い。押出成形セメント板１９Ｄの表裏面にはそれぞれに面状ヒータ５１を埋設する中空部１７Ｃを設ける。表裏面で埋設する面状ヒータ５１の数を変更することにより、例えば表裏面別々の暖房能力を有した押出成形セメント板１９Ｄとすることも可能である。
【００４３】
このように、冷却及び／又は加熱手段２１が、面状ヒータ５１であるので、面状ヒータ５１に接続した電気配線４３に給電することで、中空部１７Ｃの面状ヒータ５１を発熱させ、室空間１３の効率の良い輻射による加熱を可能にすることができる。また、床暖房に既設の面状ヒータが使用される場合では、床暖房と一括した電気配線施工を可能にでき、施工コストを安価に抑えることができる。
【００４４】
また、上記の各実施の形態では、中空セメントパネル１９として押出成形セメント板１９Ａを例に説明したが、これに限らず、中空部１７，１７Ａが形成されたセメントパネルであれば、穴あきＰＣ板のようなものでも使用可能である。
また、上記の実施の形態では、温水／又は冷水を流す管としての管体を例に説明したが、上述した如くこれに限らずダクタイル鋳鉄管、ステンレス管等の鋼管やポリエチレン管、ポリカーボネート強化管等の合成樹脂管等を用いることができる。
単に、上記の実施の形態では、暖房を前提としたが、押出成形セメント板１９Ａ内に配管を行なう場合には、温水の代わりに冷水を流すことにより、冷房を行なうことも可能である。
【００４５】
さらに、本発明に係る中空セメントパネルを用いた冷暖房方法及び壁冷暖房構造は、新築建築物だけではなく、リフォーム時にも用いることができる。また、病院・老健施設・老人ホーム等の高齢者施設の間仕切壁（縦張り）・腰壁（横張り）として用いることで、室内環境の改善を図ることも可能である。その他、室内プールの壁、学校・物販・オフィス等の間仕切りとして用いることも可能である。
【００４６】
したがって、上記の中空セメントパネルを用いた冷暖房方法によれば、中空セメントパネル１９の中空部１７に冷却及び／又は加熱手段２１を内設し、この中空セメントパネル１９を用いて構造物１１の室空間１３に面する内壁部１５を形成し、冷却及び／又は加熱手段２１によって吸熱又は加熱を行うことで、室空間１３を冷暖房するので、下地や、専用の壁面暖房用パネルが不要で、安価で容易な施工が可能となる。また、シーリング施工を行わなくても空気漏れが発生しない。さらに、中空部１７に直接温風が循環しないので、乾燥による中空セメントパネル１９の反りを防止することができる。
【００４７】
また、壁冷暖房構造によれば、内壁部１５を形成する中空セメントパネル１９と、中空セメントパネル１９の中空部１７に内設された冷却及び／又は加熱手段２１とを具備するので、下地や、専用の壁面暖房用パネルが不要で、安価で容易な施工が可能となる。また、シーリング施工を行わなくても空気漏れが発生しない。さらに、中空部１７に直接温風が循環しないので、乾燥による中空セメントパネル１９の反りを防止することができる。これに加え、冷却及び／又は加熱手段２１が、中空セメントパネル１９の端面に開口する中空部１７から、室空間１３に表出することなく床２３内に導出されるので、中空セメントパネル下端と床底面との間隙の小さな占有スペースで、中空セメントパネル１９からの冷却及び／又は加熱手段２１を、床２３内へ引き込むことができ、これによっても、安価・容易な施工で、しかも、簡素かつコンパクトな構造で見栄え良く冷却及び／又は加熱手段２１の接続が可能となる。
【図面の簡単な説明】
【００４８】
【図１】本発明に係る中空セメントパネルを用いた冷暖房方法に用いられる中空セメントパネルの構成例を（ａ）（ｂ）に表したパネル押出方向から見た側面図である。
【図２】中空セメントパネルを用いた壁冷暖房構造の正面視を（ａ）、断面視を（ｂ）で表した説明図である。
【図３】図２に示した壁冷暖房構造を有する居室の平面視を（ａ）、その拡大視を（ｂ）で表した説明図である。
【図４】図３に示した壁冷暖房構造を外断熱とした場合の説明図である。
【図５】冷却及び／又は加熱手段に線状ヒータを用いた中空セメントパネルの構成例を（ａ）（ｂ）に表した側面図である。
【図６】図５の中空セメントパネルを用いた壁冷暖房構造の正面視を（ａ）、断面視を（ｂ）で表した説明図である。
【図７】冷却及び／又は加熱手段に面状ヒータを用いた中空セメントパネルの構成例を（ａ）（ｂ）に表した側面図である。
【図８】図７の中空セメントパネルを用いた壁冷暖房構造の正面視を（ａ）、断面視を（ｂ）で表した説明図である。
【符号の説明】
【００４９】
１１…構造物、１３…室空間、１５…内壁部、１７…中空部、１７Ａ…冷却及び／又は加熱手段専用の中空部、１９…中空セメントパネル、１９Ａ…押出成形セメント板、２１…冷却及び／又は加熱手段、２１Ａ…管、２３…床、４１…線状ヒータ、５１…面状ヒータ
【図１】
2007232301.tif 000003
【図２】
2007232301.tif 000004
【図３】
2007232301.tif 000005
【図４】
2007232301.tif 000006
【図５】
2007232301.tif 000007
【図６】
2007232301.tif 000008
【図７】
2007232301.tif 000009
【図８】
2007232301.tif 000010